(57)【要約】【課題】食品粉砕機の破損を防ぎ、且つ使用者の安全を確保する安全保護構造を具えた食品粉砕機を提供する。【解決手段】食品粉砕機１は、本体２、モータ起動用スイッチ装置３、容器８３から本体２を取り外す為のスイッチ装置４を具え、両スイッチ装置３、４は相互に作用して、一方のスイッチ装置が押されている間は、他方のスイッチ装置を押すことができないようにする。【選択図】　　図１
0003097217.tif 000002
【実用新案登録請求の範囲】
【請求項１】
モータ起動用のスイッチ装置（３）と、本体（２）から容器（８３）を取り外す為のスイッチ装置（４）を具えた食品粉砕機に於いて、
モータ起動用のスイッチ装置（３）は、押圧操作される第１ボタン（３６）と、該第１ボタン（３６）に設けられた凸部（３７）を具え、
取り外し用スイッチ装置（４）は、押圧操作される第２ボタン（４８）と、該第２ボタン（４８）に設けられた凸部（４８０）を具え、
本体（２）内には、凸部（４８０）が出没可能に嵌まる孔（４７０）を開設しているとともに、凸部（３７）に押されるブロック片（４７）が配備され、
ブロック片（４７）は、第１ボタン（３６）が押圧された状態で、凸部（３７）に押されて凸部（４８０）と孔（４７０）との対向が外れ、第２ボタン（４８）の凸部（４８０）が孔（４７０）に嵌合することを規制する位置と、
第２ボタン（４８）が押圧され、凸部（４８０）が孔（４７０）に嵌まって、第１ボタン（３６）の押圧操作を規制する位置との間を移動することを特徴とする食品粉砕機。
【請求項２】
本体（２）内には、起動スイッチ（５１）及びブレーキスイッチ（５２）を設けた第１支持体（５０）が配備され、第１ボタン（３６）には押し棒（３４）が設けられ、
両スイッチ（５１）（５２）間には、押し棒（３４）に連繋して、第１ボタン（３６）の押圧操作時には起動スイッチ（５１）を押し、第１ボタン（３６）の押圧操作解除時にはブレーキスイッチ（５２）を押す移動杆（５３）が設けられた請求項１に記載の食品粉砕機。
【請求項３】
スイッチ装置（４）は、本体（２）内に設けられ上向きに付勢された第２支持体（６０）に連繋し、容器（８３）上には容器蓋（８）及び容器蓋（８）に重なる底蓋（７）が設けられ、
底蓋（７）には孔（７１０）が開設されるとともに、該孔（７１０）を覆う第１台座（７１）が設けられ、容器蓋（８）には孔（７１０）を貫通して第１台座（７１）内に嵌まる第２台座（８０）が設けられ、
底蓋（７）上には、バネ付勢されて先端部が第１台座（７１）内の第２台座（８０）に嵌合するスライド体（６１）が設けられ、該スライド体（６１）は第２支持体（６０）に連繋し、
スライド体（６１）は、先端部が第２台座（８０）に嵌まって底蓋（７）と容器（８３）を連結する位置と、スイッチ装置（４）の押圧操作に伴う第２支持体（６０）の下降により、先端部がバネ付勢に抗して第２台座（８０）から外れ、底蓋（７）と容器（８３）との連結を解除する位置との間を移動する請求項１又は２に記載の食品粉砕機。
【考案の詳細な説明】
【０００１】
【考案の属する技術分野】
本考案は、安全保護構造を具えた食品粉砕機に関わり、特にモータ起動スイッチ釦と、本体から容器を取り外すスイッチボタンとを同時に押すことができないようにし、モータ回転時に本体から容器を取り外せない安全保護構造を有するものに関わる。
【０００２】
【従来の技術】
現在、家庭等にて使用されている食品粉砕機に於いては、本体に設置された容器内に食品を投入し、これをモータにより回転するブレードにより粉砕する。粉砕された食品を取り出したら、容器を本体から取り外して、容器を洗浄できる（例えば、特許文献１参照）。
【０００３】
【特許文献１】
意匠登録１１４２０８１号
【０００４】
【考案が解決しようとする課題】
上記のような公知の食品粉砕機に於いては、モータによりブレードが回転している際に、不用意に容器取り外しのボタンを押した場合、モータを含めた粉砕機全体が破損したり、使用者が回転中のブレードによって怪我をする虞れがある。本考案の目的は、粉砕機の破損を防ぎ、且つ使用者の安全を確保することにある。
【０００５】
【課題を解決する為の手段】
モータ起動用のスイッチ装置（３）は、押圧操作される第１ボタン（３６）と、該第１ボタン（３６）に設けられた凸部（３７）を具え、
取り外し用スイッチ装置（４）は、押圧操作される第２ボタン（４８）と、該第２ボタン（４８）に設けられた凸部（４８０）を具え、
本体（２）内には、凸部（４８０）が出没可能に嵌まる孔（４７０）を開設しているとともに、凸部（３７）に押されるブロック片（４７）が配備され、
ブロック片（４７）は、第１ボタン（３６）が押圧された状態で、凸部（３７）に押されて凸部（４８０）と孔（４７０）との対向が外れ、第２ボタン（４８）の凸部（４８０）が孔（４７０）に嵌合することを規制する位置と、
第２ボタン（４８）が押圧され、凸部（４８０）が孔（４７０）に嵌まって、第１ボタン（３６）の押圧操作を規制する位置との間を移動する。
【０００６】
【考案の効果】
本考案によると、モータが回転している間は、本体を容器から取り外すことができなくなっており、モータ回転中に不用意に取外しスイッチを触っても、本体が外れる虞れはない。これにより、食品粉砕機の破損を防止しているとともに、使用に安全である。
【０００７】
【考案の実施の形態】
以下、本考案の一例を図を用いて詳述する。
図１及び図２に示すように、食品粉砕機（１）は、本体（２）と該本体（２）が載置される容器（８３）を具えている。該本体（２）には使用者が食品粉砕機（１）を起動させる際に押すスイッチ装置（３）、及び該本体（２）を容器（８３）から取り外す際に設けられた取外し用のスイッチ装置（４）が設けられている。両スイッチ装置（３）（４）は、安全性を高めるべく、相互に牽制して、同時に作用することはないように設計されている。
容器（８３）は上面が開口し、容器（８３）内にはブレード台座（８１）が回転自在に設けられる。容器（８３）の上面開口には、容器蓋（８）が被さり、該容器蓋（８）上には、食品を挿入する案内筒（８２）が縦長に設けられる。容器（８３）上に本体（２）が載置された状態で、ブレード台座（８１）は本体（２）内のモータ（図示せず）に接続され、案内筒（８２）から容器（８３）内に挿入された食品は、ブレード台座（８１）の回転により、粉砕される。本体（２）内には、スイッチ装置（３）に連繋してモータの駆動を制御するモータ制御スイッチ装置（５）が設けられている。また、容器蓋（８）上には底蓋（７）が載置され、該底蓋（７）上に本体着脱切換え機構（６）が設けられる。底蓋（７）は本体（２）の底面開口に取り付けられる。
【０００８】
起動用スイッチ装置
起動用スイッチ装置（３）は、本体（２）に固定されている固定座（３０）及び該固定座（３０）内に配備されて押圧操作される第１ボタン（３６）（図２及び図４参照）を具え、該固定座（３０）にはバネ（３３）が挿入されるバネ設置室（３１）が設けられている。バネ設置室（３１）の底部には、ストッパ（３２）が設けられ、該ストッパ（３２）によってバネ（３３）の下端部がバネ設置室（３１）内にて位置決めされる。
該スイッチ装置（３）には、押し棒（３４）が設けられており、該押し棒（３４）の下端部は、バネ設置室（３１）から突出している。押し棒（３４）はバネ（３３）によって上向きに付勢され、該押し棒（３４）の上端部は第１ボタン（３６）を上向きに付勢している。第１ボタン（３６）は、固定座（３０）に対向した空間（３８）内に、斜面である凸部（３７）（図２参照）を具え、第１ボタン（３６）を押すと、凸部（３７）及び押し棒（３４）が同時に移動する。
【０００９】
取外し用スイッチ装置
取外し用のスイッチ装置（４）は、本体（２）に固定されている固定座（４０）及び固定座（４０）に取り付けられるブロック片（４７）（図１及び図３参照）を具え、該固定座（４０）の上面には、略Ｌ字形のクリップ（４１）（４１）が２対設けられている。該クリップ（４１）（４１）間には、ブロック片（４７）を挟む挟持空間（４２）が形成される。固定座（４０）上にて、挟持空間（４２）内には、第１孔（４３）が開設され、固定座（４０）の凸部（３７）側（図２参照）には、バネ（４６）が嵌まるバネ支柱（４５）が突出している。
ブロック片（４７）の一端部下面には、フック（４７１）が設けられ、ブロック片（４７）上には第２孔（４７０）が開設されている。ブロック片（４７）は固定座（４０）の側方から固定座（４０）に挿入され、クリップ（４１）（４１）に挟持され、フック（４７１）が固定座（４０）に引掛かって、固定座（４０）上に取り付けられる。ブロック片（４７）上にて、フック（４７１）と反対側には、突起（４７２）が設けられており、該突起（４７２）の先端が起動用スイッチ装置（３）の凸部（３７）に接して、ブロック片（４７）は位置決めされる（図２及び図６参照）。
突起（４７２）からは、前記バネ（４６）を受ける垂直壁（４７３）が下向きに延び、ブロック片（４７）は凸部（３７）に向かって付勢される。突起（４７２）の先端が凸部（３７）に接した状態で、固定座（４０）の第１孔（４３）とブロック片（４７）の第２孔（４７０）が合わさる。
【００１０】
図２及び図５に示すように、本体（２）上にて固定座（４０）の外側には、上から押圧操作される第２ボタン（４８）が設けられており、該第２ボタン（４８）は下向きに延びた凸部（４８０）を具える。該凸部（４８０）にバネ（４９）が嵌まって、第２ボタン（４８）は上向きに付勢され、凸部（４８０）の下端は、前記固定座（４０）の第１孔（４３）とブロック片（４７）の第２孔（４７０）に嵌まる。即ち、第２ボタン（４８）を押すと、凸部（４８０）の下端部が第１孔（４３）と第２孔（４７０）に嵌まって、ブロック片（４７）の移動を規制する。
この状態で、第１ボタン（３６）を押そうとしても、凸部（３７）はブロック片（４７）にぶつかっているから、第１ボタン（３６）を押すことはできない。第２ボタン（４８）の凸部（４８０）を第１孔（４３）と第２孔（４７０）から引き出すと、ブロック片（４７）は移動可能となり、第１ボタン（３６）を押すことができる。
同様にして、図２の状態にて、第１ボタン（３６）が押された場合、凸部（３７）はブロック片（４７）を押して、図７の矢印Ｆ方向に移動させる。ブロック片（４７）の第２孔（４７０）は、凸部（４８０）の下端部に対向した状態から外れる。第２ボタン（４８）を押そうとしても、凸部（４８０）の下端部はブロック片（４７）の上面に当たり、第２ボタン（４８）を押すことはできない。従って、両スイッチ装置（３）（４）は、同時に押すことが不可能となり、安全性が高められる。
【００１１】
モータ制御スイッチ装置
モータ制御スイッチ装置（５）は、図１に示すように、本体（２）内に立てられた第１支持体（５０）の両側に起動スイッチ（５１）及びブレーキスイッチ（５２）を設けて構成される。２つのスイッチ（５１）（５２）は接片（５１０）（５２０）を具え（図８参照）、該接片（５１０）（５２０）間には移動杆（５３）が設けられている。前記押し棒（３４）の下端は、移動杆（５３）の端部（５３０）を押す。該端部（５３０）は該押し棒（３４）の下端と適当な角度にて対向し、押し棒（３４）を押すと、移動杆（５３）が横に動く。移動杆（５３）は、何れかの接片（５１０）（５２０）を押す突片（５３１）を設けている（図１０参照）。移動杆（５３）はバネ（５４）により、突片（５３１）がブレーキスイッチ（５２）の接片（５２０）に接する向きに付勢されている。
第１ボタン（３６）が押されていない状態では、突片（５３１）がブレーキスイッチ（５２）の接片（５２０）を押し込み、食品粉砕機（１）のモータは停止している（図８参照）。
【００１２】
使用者が第１ボタン（３６）を押すと、押し棒（３４）はバネ（５４）に抗して移動杆（５３）の端部（５３０）を押し、図９に示すように、突片（５３１）が起動スイッチ（５１）の接片（５１０）を押す。モータが回転し、ブレード台座（８１）が回転して、容器（８３）内の食品が粉砕される。
使用者が第１ボタン（３６）から指を離すと、バネ（５４）によって、移動杆（５３）は戻り、突片（５３１）がブレーキスイッチ（５２）の接片（５２０）を押す。モータの回転が停止する。
【００１３】
本体の着脱
図１に示すように、本体着脱切換え機構（６）は、バネ（６２）により上向きに付勢された第２支持体（６０）を具えている。第２支持体（６０）の上端部（６００）は取外し用スイッチ装置（４）の凸部（４８０）の下端部に対向している（図２参照）。
第２支持体（６０）の下端部には、突部（６０１）（６０１）が設けられており、底蓋（７）上には突部（６０１）（６０１）に嵌まる一対のスライド体（６１）（６１）が設けられている。両スライド体（６１）（６１）は互いに斜めに配備され、一端部に突部（６０１）（６０１）に嵌まる挟み部（６１０）を設け、該挟み部（６１０）の上面は斜面（６１００）を形成している（図１１参照）。挟み部（６１０）は孔が開設され、該孔内にバネ（６２０）が嵌まる。底蓋（７）上には、ストッパ板（７０）が設けられ、バネ（６２０）の一端はストッパ板（７０）に接して、スライド体（６１）（６１）をバネ（６２０）から離れる向きに付勢する。
スライド体（６１）の他端部には、凸面（６１１）が設けられ、底蓋（７）には凸面（６１１）に対向して第１台座（７１）（７１）が設けられている。スライド体（６１）がバネ（６２０）に押されて、凸面（６１１）が第１台座（７１）内に嵌まる。第１台座（７１）は底蓋（７）に開設された孔（７１０）を覆う。容器蓋（８）には、孔（７１０）を貫通可能な第２台座（８０）が設けられ、孔（７１０）を通った第２台座（８０）内に、バネ（６２０）に押されたスライド体（６１）の凸面（６１１）が嵌まる。これにより、本体（２）、底蓋（７）、容器（８３）が一体に固定される。
使用者が本体（２）を容器（８３）から外す際には、第２ボタン（４８）を押す。凸部（４８０）は第１孔（４３）と第２孔（４７０）を通って、第２支持体（６０）を下向きに押す。第２支持体（６０）の突部（６０１）は、スライド体（６１）の斜面（６１００）を押して、スライド体（６１）をバネ（６２０）に抗して後退させる。台座（８０）とスライド体（６１）の凸面（６１１）との嵌合が外れ、本体（２）を容器（８３）から外すことができる。
【００１４】
実際に食品を粉砕せんとするときには、先ず食品を案内筒（８２）内に入れ、第１ボタン（３６）を押す（図４のＰ方向）。凸部（３７）はバネ（４６）に抗してブロック片（４７）を押す。押し棒（３４）は、移動杆（５３）を押し、該移動杆（５３）は起動スイッチ（５１）の接片（５１０）を押す（図９参照）。モータが回転して、食品を粉砕する。ブロック片（４７）が押されて、ブロック片（４７）の第２孔（４７０）は、凸部（４８０）の下端部に対向した状態から外れる。第２ボタン（４８）を押そうとしても、凸部（４８０）の下端部はブロック片（４７）の上面に当たり、第２ボタン（４８）を押すことはできない。従って、モータ回転中は、本体（２）を容器（８３）から外すことができない。両スイッチ装置（３）（４）は、同時に押すことが不可能となり、安全性が高められる。
第１ボタン（３６）から指を離すと、バネ（３３）により第１ボタン（３６）は復帰する。バネ（５４）により移動杆（５３）はブレーキスイッチ（５２）の接片（５２０）を押し込み、モータが停止する。バネ（４６）により、ブロック片（４７）が復帰し、第１孔（４３）と第２孔（４７０）が合わさる。
【００１５】
本体（２）を容器（８３）から外す際には、第２ボタン（４８）を押す。凸部（４８０）は第１孔（４３）と第２孔（４７０）を貫通して、ブロック片（４７）の動きを規制する。ブロック片（４７）が凸部（３７）に当たって、第１ボタン（３６）は押し込めない。凸部（４８０）は第２支持体（６０）を下向きに押し、突部（６０１）は、スライド体（６１）の斜面（６１００）を押して、スライド体（６１）をバネ（６２０）に抗して後退させる。第２台座（８０）とスライド体（６１）の凸面（６１１）との嵌合が外れ、本体（２）を容器（８３）から外すことができる。
【００１６】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【図面の簡単な説明】
【図１】本考案の実施例の分解図である。
【図２】本考案の実施例の側面断面図である。
【図３】固定座とブロック片の分解斜視図である。
【図４】作動状態を示す側面断面図である。
【図５】取外し用スイッチ装置を押圧した際の側面断面図である。
【図６】図５のＡ部の拡大図である。
【図７】図４のＢ部の拡大図である。
【図８】図２を矢印Ｃ方向から見た図である。
【図９】図２を矢印Ｃ方向から見た図である。
【図１０】押し棒と移動杆の斜視図である。
【図１１】図５のＥ部を拡大した斜視図である。
【符号の説明】
（１）　　食品粉砕機
（２）　　本体
（３）　　起動用スイッチ装置
（４）　　取外し用スイッチ装置
（５）　　モータ制御スイッチ装置
（７）　　底蓋
（８）　　容器蓋
【図１】
0003097217.tif 000003
【図２】
0003097217.tif 000004
【図３】
0003097217.tif 000005
【図４】
0003097217.tif 000006
【図５】
0003097217.tif 000007
【図６】
0003097217.tif 000008
【図７】
0003097217.tif 000009
【図８】
0003097217.tif 000010
【図９】
0003097217.tif 000011
【図１０】
0003097217.tif 000012
【図１１】
0003097217.tif 000013